(57)【要約】【課題】多様なマッサージを可能とする。【解決手段】被施療部をマッサージするマッサージ装置１３を椅子本体に内蔵し、この椅子本体に空気を供給するための接続部１２を設け、この接続部１２の接続口１１に、空気の給排にて膨張収縮するマッサージ具１８を着脱自在に装着可能とする。マッサージ具１８を収納する収納部１０を設け、この収納部１０に接続部１２を設ける。【効果】種々のマッサージ具を接続部に選択的に装着することができ、マッサージ具に応じて多様なマッサージを行うことができる。収納部を利用して接続部が外部に露出するのを防止でき、外観を向上できる。【選択図】  図１
2004201922.tif 000002
【特許請求の範囲】
【請求項１】
被施療部をマッサージするマッサージ装置を椅子本体に内蔵し、該椅子本体に空気を供給するための接続部を設け、該接続部の接続口に、空気の給排にて膨張収縮するマッサージ具を着脱自在に装着可能としたことを特徴とするマッサージ機。
【請求項２】
前記マッサージ具を収納する収納部を設け、該収納部に前記接続部を設けたことを特徴とする請求項１に記載のマッサージ機。
【請求項３】
前記収納部は、前記椅子本体の側方に設けられた凹部と、下方を中心に回動されて前記凹部を開閉自在に覆う蓋体とを有することを特徴とする請求項２に記載のマッサージ機。
【請求項４】
前記接続部は複数の接続口を有することを特徴とする請求項１乃至請求項３のいずれかに記載のマッサージ機。
【請求項５】
前記マッサージ具は、空気の給排にて膨張収縮する空気袋を内蔵する帯状体と、該帯状体へ空気を供給するためのホースとを具え、前記帯状体には、その一端側と他端側を連結するための締結手段を有することを特徴とする請求項１乃至請求項４のいずれかに記載のマッサージ機。
【請求項６】
前記締結手段は面ファスナーであることを特徴とする請求項５に記載のマッサージ機。
【請求項７】
前記帯状体には指を挿入可能な貫通穴が形成されていることを特徴とする請求項５又は請求項６に記載のマッサージ機。
【請求項８】
前記貫通穴周縁には刺激用突部が設けられていることを特徴とする請求項７に記載のマッサージ機。
【請求項９】
前記刺激用突部は前記空気袋の被施療部側に貼着された突起であることを特徴とする請求項８に記載のマッサージ機。
【請求項１０】
前記刺激用突部は、前記空気袋と連通して空気の給排にて膨張収縮する副空気袋であることを特徴とする請求項８に記載のマッサージ機。
【発明の詳細な説明】
【０００１】
【発明の属する技術分野】
本発明は、被施療部を施療子で施療するマッサージ装置を搭載するマッサージ機に関する。
【０００２】
【従来の技術】
従来のマッサージ機として、椅子に圧縮空気給排装置を搭載し、椅子の側方に設けた肘掛け部の上面に、空気の給排にて膨縮する空気袋を設け、この空気袋を前記圧縮空気給排装置を駆動して膨張収縮させることで、肘掛け部に置いた手を空圧マッサージするものが知られている（例えば、特許文献１参照）。
【０００３】
このマッサージ機は、肘掛け部に置いた手の広範囲を挟みマッサージすることができるが、局所的に刺激を与えてマッサージしたり、他の部分のマッサージを行う等、多様なマッサージを行うことはできないものであった。
【０００４】
【特許文献１】
特開平１０−２６３０２９号公報（３頁の段落番号１５から同頁の段落番号１６及び図１）
【０００５】
【発明が解決しようとする課題】
本発明は、多様なマッサージを行うことができるマッサージ機を提供することを課題とする。
【０００６】
【課題を解決するための手段】
上記課題を解決するための手段は、被施療部をマッサージするマッサージ装置を椅子本体に内蔵し、この椅子本体に空気を供給するための接続部を設け、この接続部の接続口に、空気の給排にて膨張収縮するマッサージ具を着脱自在に装着可能とするものである。
【０００７】
かかる構成により、種々のマッサージ具を接続部に選択的に装着することができ、マッサージ具に応じて多様なマッサージを行うことができる。
【０００８】
上記構成において、前記マッサージ具を収納する収納部を設け、この収納部に前記接続部を設けることで、収納部を利用して接続部が外部に露出するのを防止でき、外観を向上できる。
【０００９】
また、前記収納部は、前記椅子本体の側方に設けられた凹部と、下方を中心に回動されて前記凹部を開閉自在に覆う蓋体とを有することで、マッサージ具を収納部の上方から容易に収納することができ、使い勝手を向上できる。
【００１０】
また、前記接続部は複数の接続口を有することで、複数のマッサージ具を同時に使用できるので、異なる箇所を同時マッサージが可能となる。更に、複数の空気袋を有するマッサージ具を使用する際に、複数の空気袋をそれぞれ独立して膨張収縮することができ、一つのマッサージ具で多様なマッサージを行うことができる。
【００１１】
そして、前記マッサージ具は、空気の給排にて膨張収縮する空気袋を内蔵する帯状体と、この帯状体へ空気を供給するためのホースとを具え、前記帯状体には、その一端側と他端側を連結するための締結手段を有することで、帯状体を手などに巻回して使用することができる。
【００１２】
また、前記締結手段は、具体的には面ファスナーである。
【００１３】
また、前記帯状体には指を挿入可能な貫通穴が形成されていることで、帯状体の貫通穴に指を挿入し、指の周縁をもマッサージすることができる。
【００１４】
また、前記貫通穴周縁には刺激用突部が設けられていることで、貫通穴に挿入した指の周縁を刺激用突部にて局部的にマッサージすることができる。
【００１５】
前記刺激用突部は前記空気袋の被施療部側に貼着された突起であることで、空気袋の膨張の際に刺激用突起が被施療部を押圧してマッサージすることができる。
【００１６】
前記刺激用突部は、前記空気袋と連通して空気の給排にて膨張収縮する副空気袋であることで、空気袋の膨張と共に副空気袋が膨張し、空気袋により広い範囲を空圧マッサージできると共に副空気袋にて局部的にもマッサージすることができる。
【００１７】
【発明の実施の形態】
本発明の実施の形態を、図１乃至図７に示す椅子式マッサージ機及びマッサージ具に基づいて説明する。尚、被施療者が座部３に座った際のつま先側を前方、背中側を後方とする。
【００１８】
１はマッサージ機で、クッション２で覆われた座部３と、座部３の両側に設けられた脚部４と、脚部４の上方に位置する肘掛け部５と、座部３の背面側に設けられた背もたれ部６と、座部３の前方側に設けられたフットレスト７と、これらの骨組となるフレーム機構とで椅子本体が構成されている。
【００１９】
脚部４の一方（ここでは左側）には、側面から内方へ窪む凹部８が形成され、この凹部８の下方に回動自在に枢支されて凹部８を開閉自在に覆うコ字状の蓋体９が設けられている。これらの凹部８と蓋体９とで後述するマッサージ具１８を収納する収納部１０を構成する。この収納部１０内には、空気を供給するための複数（ここでは３個だが、これに限定されるものではない）の接続口１１を有する接続部１２が設けられている。
【００２０】
背もたれ部６は下方を座部３の後端に枢支され、座部３の下方に設けられた図示しないリクライニング機構により使用者の所望とする位置へ起倒される。また、背もたれ部６は、マッサージ機１に座った被施療者の首筋から腰にかけて揉みマッサージ、叩きマッサージ及びローリングマッサージ等を行うマッサージ装置１３が搭載されており、図示しないクッションにて覆われる。
【００２１】
フットレスト７には、ふくらはぎが挿入される１対の挿入部１４が形成されている。一対の挿入部１４の対向壁には、空気の給排により膨張収縮する空気袋１５（ポリエチレン等で構成）と、この空気袋１５に対向するクッション１６がそれぞれ設けられている。そして、空気袋１５を膨張させることでふくらはぎをクッション１６側へ押圧して空気袋１５とクッション１６間に挟持する。また、フットレスト７の下部には足裏が載置される足載せ台１７が回動自在に設けられている。
【００２２】
座部３の下方には、接続部１２とフットレスト７の空気袋１５に接続される圧縮空気給排装置（いずれも図示せず）が設けられている。この圧縮空気給排装置は、例えば複数の電磁弁（図示せず）の動作により、接続部１２の複数の接続口１１に対して独立して圧縮空気を供給及び排気すると共に、接続部１２と独立してフットレスト７の空気袋１５に対して圧縮空気を供給及び排気する構成となっている。
【００２３】
１８はマッサージ機１の脚部４に設けた収納部１０に収納されるマッサージ具で、図２及び図３に示すように、空気の給排にて膨張収縮する空気袋１９（ポリエチレン等で構成）を有する長方形状の帯状体２０と、空気袋１９に一端側を連通するホース２１とで構成されている。このホース２１の他端側はマッサージ機１の接続部１２の所定の接続口１１に着脱自在に装着され、装着時には接続口１１と連通し、前記圧縮空気供給源から空気袋１９への圧縮空気の供給及び排気が可能となる。
【００２４】
空気袋１９は布製のカバー２２で覆われている。この布製カバー２２の一端側の下面には多数のフックを有する面ファスナー２３のフックテープ２４が取り付けられ、他端側の上面には多数のループを有する面ファスナー２３のループテープ２５が設けられている。そして、フックテープ２４のフックをループテープ２５のループに係着することで、円筒状となって腕等に巻きつけることができる。
【００２５】
上記構成のマッサージ機１は、被施療者が座部３に座り、被施療者の足がフットレスト７の挿入部１４に挿入される。
【００２６】
マッサージ装置１３を駆動した場合には、マッサージ装置１３により被施療者の首から腰にかけて揉みマッサージ、叩きマッサージ及びローリングマッサージ等を行うことができる。
【００２７】
そして、圧縮空気給排装置にてフットレスト７の空気袋１５に空気を供給すると空気袋１５が膨張して挿入部１４に挿入した被施療者の足を押圧し、空気袋１５の空気を排気することで空気袋１５による押圧が開放される。この空気袋１５を一定時間毎に、又はランダムに膨張収縮させることで、被施療者の足の挟持と開放が繰り返される空圧マッサージが行われる。
【００２８】
また、マッサージ具１８を使用する場合には、収納部１０の蓋体９を開けて収納部１０内のマッサージ具１８を取り出し、マッサージ具１８のホース２１の端部を所定の接続口１１に装着する。そして、帯状体２０を肘と手首との間や上腕等使用者の所望とする位置で面ファスナー２３にて一端側と他端側を連結して巻回する。そして、圧縮空気給排装置にてマッサージ具１８が接続された接続口１１に圧縮空気を供給すると、マッサージ具１８の空気袋１９へホース２１を介して圧縮空気が供給されて膨張し、マッサージ具１８を巻回した被施療部が押圧される。そして、圧縮空気供給装置にて排気すると被施療部の空気袋１９による押圧が開放される。この空気袋１９を一定時間毎又はランダムに膨張収縮させることで、被施療部の押圧と開放が繰り返される空圧マッサージが行われる。
【００２９】
このマッサージ具１８は接続部１２に着脱自在に装着されることで、このマッサージ具１８の代わりに、以下に示す他のマッサージ具３１を容易に装着することができる。
【００３０】
３１は他のマッサージ具で、マッサージ具１８と同様に空気の給排にて膨張収縮する空気袋３２（ポリエチレン等で構成）を有する長方形状の帯状体３３と、空気袋３２に一端側を連通するホース３４とで構成されている。ホース３４の他端側はマッサージ機１の接続部１２の所定の接続口１１に着脱自在に装着される。そして、装着時に前記圧縮空気供給源から空気袋３２に対して圧縮空気の供給及び排気が可能となる。
【００３１】
空気袋３２には指（ここでは親指）が挿入される貫通穴３５が形成されており、この貫通穴３５の周縁で被施療部に面する側に刺激用突部としての複数の突起３６（ここでは２個）が貼着されている。
【００３２】
空気袋３２は布製のカバー３７で覆われている。この布製カバー３７には、マッサージ具１８のカバー２２と同様に、その一端側で且つ被施療部側に、多数のフックを有する面ファスナー２３のフックテープ２４が取り付けられ、他端側で且つ被施療部側と反対側に、多数のループを有する面ファスナー２３のループテープ２５が設けられている。そして、フックテープ２４のフックをループテープ２５のループに係着することで、腕等に巻きつけることができる。
【００３３】
このマッサージ具３１は、貫通穴３５に親指を挿入して帯状体３３を手の甲から手のひらにかけて巻回すると共に、ホース３４の他端側を接続部１２の所定の接続口１１に装着して使用される。そして、圧縮空気給排装置から空気袋３２へ圧縮空気が供給されると、空気袋３２が膨張して手の甲から手のひらにかけて押圧されると共に、突起３６にて親指の周縁が局部的に押圧される。そして、圧縮空気給排装置にて排気すると、空気袋３２が収縮して押圧から開放される。この空気袋３２の膨張と収縮を一定間隔又はランダムに繰り返すことで、親指周縁の突部による局部的な刺激マッサージ及び手の甲から手のひらにかけての空圧マッサージを繰り返し行うことができる。
【００３４】
このように、マッサージ具３１が着脱自在に装着可能な接続部１２をマッサージ機１に設けることで、複数のマッサージ具３１を選択的に装着して使用することができる。これにより、マッサージ具３１を交換することで、マッサージ具３１に応じて、広い範囲を押圧するマッサージや、狭い範囲のマッサージを容易に選択できると共に、マッサージを行う箇所も容易に変更することができ、マッサージを多様化できる。
【００３５】
また、複数の接続口１１に複数のマッサージ具をそれぞれ接続することで、同時に異なる箇所をマッサージすることもできる。更に、接続口１１からの給排タイミングや強さを変えるようにした場合、一つのマッサージ具を接続する接続口１１を変えることで、一つのマッサージ具でも異なるマッサージをすることができる。
【００３６】
上記マッサージ具１８、３１は、使用しない時には収納部１０の蓋体９を開けて収納部１０に収納することができる。これにより、所定の位置へ収納されるので、マッサージ具１８、３１を着脱自在にしても紛失するのを防止できる。
【００３７】
また、マッサージ具１８、３１を収納する収納部１０は椅子の脚部４の側面側に設けられ、蓋体９を開けた際に上方が開口することから、座った状態で上方から容易に収納部１０へ挿入することができ、使い勝手を向上できる。また、収納部１０にはマッサージ中に雑誌などを入れておくこともできる。
【００３８】
また、収納部１０内にマッサージ具１８、３１が装着される接続部１２を設けたことで、収納部１０にマッサージ具１８、３１を収納して蓋体９を閉じた際に外部から見えなくなり、外観を向上できる。
【００３９】
尚、上記実施の形態の他のマッサージ具３１では、空気袋３２に刺激用突部として突起３６を一体に設けたが、突起３６の代わりに、図６に示すように、マッサージ具４１に、空気袋３２に連通する副空気袋４２を設け、この副空気袋４２にて親指の周縁を局部的に刺激してマッサージするようにしてもよい。
【００４０】
また、空気袋３２に連通する副空気袋４２ではなく、図７に示すように、マッサージ具５１に、それぞれにホース３４が接続される副空気袋５２を設け、それぞれのホース３４を接続部１２の各接続口１１へ接続するようにしてもよい。
【００４１】
この場合、空気袋３２及び副空気袋５２をそれぞれ独立して膨張収縮させることができるので、より変化に富んだマッサージを行うことができる。
【００４２】
ところで、上記実施の形態において、カバー３７を、図５においては一点鎖線で表し、図６及び図７においては省略している。
【００４３】
【発明の効果】
本発明の請求項１によれば、種々のマッサージ具を接続部に選択的に装着することができ、マッサージ具に応じて多様なマッサージを行うことができる。
【００４４】
本発明の請求項２によれば、マッサージ具を収納する収納部を利用して接続部が外部に露出するのを防止でき、外観を向上できる。
【００４５】
本発明の請求項３によれば、マッサージ具を収納部の上方から容易に収納することができ、使い勝手を向上できる。
【００４６】
本発明の請求項４によれば、複数のマッサージ具を同時に使用できるので、異なる箇所を同時マッサージが可能となる。更に、複数の空気袋を有するマッサージ具を使用する際に、複数の空気袋をそれぞれ独立して膨張収縮することができ、一つのマッサージ具で多様なマッサージを行うことができる。
【００４７】
本発明の請求項５によれば、帯状体を手などに巻回して使用して、空圧マッサージを行うことができる。
【００４８】
本発明の請求項６によれば、手などに巻いて面ファスナーにてその状態で容易に保持することができる。
【００４９】
本発明の請求項７によれば、帯状体の貫通穴に指を挿入し、指の周縁をもマッサージすることができる。
【００５０】
本発明の請求項８によれば、貫通穴に挿入した指の周縁を刺激用突部にて局部的にマッサージすることができる。
【００５１】
本発明の請求項９によれば、空気袋の膨張の際に突起が被施療部を押圧してマッサージすることができる。
【００５２】
本発明の請求項１０によれば、空気袋の膨張と共に副空気袋が膨張し、空気袋により広い範囲を空圧マッサージできると共に副空気袋にて局部的にもマッサージすることができる。
【図面の簡単な説明】
【図１】本発明の実施の形態を示すマッサージ機の背もたれ部のカバーを取り外した状態での斜視図である。
【図２】同マッサージ機に着脱自在に装着されるマッサージ具の斜視図である。
【図３】同マッサージ具を腕に巻回して使用した場合の断面図である。
【図４】同マッサージ機に着脱自在に装着される他のマッサージ具の斜視図である。
【図５】同マッサージ具の側面断面図である。
【図６】突起の代わりに副空気袋を設けたマッサージ具における側面断面図である。
【図７】副空気袋にホースをそれぞれ接続する構成のマッサージ具における側面断面図である。
【符号の説明】
１            マッサージ機
８            凹部
９            蓋体
１０            収納部
１１            接続口
１２            接続部
１３            マッサージ装置
１８            マッサージ具
１９            空気袋
２０            帯状体
２３            面ファスナー（締結手段）
３１            マッサージ具
３２            空気袋
３５            貫通穴
３６            突起
４１            マッサージ具
４２            副空気袋
５１            マッサージ具
５２            副空気袋
【図１】
2004201922.tif 000003
【図２】
2004201922.tif 000004
【図３】
2004201922.tif 000005
【図４】
2004201922.tif 000006
【図５】
2004201922.tif 000007
【図６】
2004201922.tif 000008
【図７】
2004201922.tif 000009